(57)【要約】【課題】ユーザの操作を少なくすることができる通信装置を提供する。【解決手段】Ｗｉ−Ｆｉ通信により、車載機１と複数のスマート機器２１〜２３とを接続する。複数のスマート機器２１〜２３は、保持しているコンテンツの曲名などを車載機１に送信する。コンテンツの曲名などを受信すると、車載機１は、統合プレイリストを作成して表示する。車載機１は、ＢＴ接続されていないスマート機器２２のコンテンツが選択されたと判断すると、ＢＴ接続されているスマート機器２１との接続を切断した後、スマート機器２２に接続する。【選択図】図１
2017175372.tif 000002
【特許請求の範囲】
【請求項１】
複数の機器のうち一つの機器と接続可能であり、当該機器で保持しているコンテンツを取得する第１通信手段と、
前記複数の機器と同時に接続可能であり、当該機器で保持しているコンテンツの識別情報を取得する第２通信手段と、
前記第２通信手段で取得されたコンテンツの識別情報のうち、前記第１通信手段で接続が確立されていない一の機器が保持するコンテンツの識別情報が選択されたことを判断して、前記一の機器と前記第１通信手段の接続を確立する接続制御手段と、を有する
ことを特徴とする通信装置。
【請求項２】
前記複数の機器が保持するコンテンツの識別情報を表示する表示手段を有する
ことを特徴とする請求項１に記載の通信装置。
【請求項３】
前記第２通信手段は、前記複数の機器から機器を識別する機器識別情報を取得し、
前記接続制御手段は、前記第１通信手段で接続されている機器の機器識別情報と、前記選択されたコンテンツを保持する機器識別情報と、が一致しない場合、前記第１通信手段で接続が確立されていない一の機器が保持するコンテンツの識別情報が選択されたことを判断する
ことを特徴とする請求項２に記載の通信装置。
【請求項４】
前記接続制御手段は、前記第１通信手段で接続が確立されていない一の機器が保持するコンテンツの識別情報が選択されたことを判断して、前記第１通信手段との接続が確立されている他の機器との接続を切断した後、前記一の機器と前記第１通信手段の接続を確立する
ことを特徴とする請求項１〜３何れか１項に記載の通信装置。
【請求項５】
前記表示手段は、複数の機器が保持する前記コンテンツの識別情報を一つのリストで表示する
ことを特徴とする請求項２に記載の通信装置。
【請求項６】
複数の機器のうち一つの機器と接続可能であり、当該機器で保持しているコンテンツを取得する第１通信手段を制御する通信方法であって、
前記複数の機器と同時に接続可能である第２通信手段で取得された前記機器で保持しているコンテンツの識別情報のうち、前記第１通信手段で接続が確立されていない一の機器が保持するコンテンツの識別情報が選択されたことを判断して、前記一の機器と前記第１通信手段の接続を確立する工程を有する
ことを特徴とする通信方法。
【請求項７】
請求項６に記載の通信方法を、コンピュータにより実行させる
ことを特徴とする通信プログラム。
【発明の詳細な説明】
【技術分野】
【０００１】
本発明は、通信装置、通信方法及び通信プログラムに関するものである。
【背景技術】
【０００２】
従来、複数の携帯端末が保持する音楽データの再生を行う音響装置が知られている（特許文献１）。この音響装置は、複数の携帯端末から音楽データの曲名と端末ＩＤを受信して、そのリストを作成する。音響装置は、作成したリストを複数の携帯端末に送信する。携帯端末は、送信されたリストを表示する。ユーザが表示されたリストの中から１つの曲名を選択すると、携帯端末が、選択された曲名の再生要求を音響装置に送信する。音響装置は、選択された曲名に対応する端末ＩＤの携帯端末にその曲名の音楽データの送信を要求する。音響装置は、これに応じて受信した音楽データを再生する。
【０００３】
上述した音響装置は、１対複数端末の接続ができ、かつ、音楽データの受信が可能であることを前提としている。例えば、Ｗｉ−Ｆｉは１対複数端末の接続ができ、普及しているが、音楽データを受信するにはＤＬＮＡ（登録商標）という規格に対応していなければならない。音楽データを受信できる音響装置としては、Ｂｌｕｅｔｏｏｔｈ（登録商標）などの１対１の接続しかできないものが主流である。
【０００４】
１対１接続しかできない音響装置で複数端末が保持する音楽データを再生しようとした場合、現在接続されている携帯端末と音響装置との切断操作を行った後、選択操作する携帯端末と音響装置との接続操作を行う。曲名が選択された後は、選択操作が行われた携帯端末と音響装置との切断操作を行った後、音楽データを保持する携帯端末と音響装置との接続操作を行う必要があり、ユーザの操作が多い、という問題が一例として挙げられる。
【先行技術文献】
【特許文献】
【０００５】
【特許文献１】特開２００８−２１３３７号公報
【発明の概要】
【発明が解決しようとする課題】
【０００６】
本発明は、このような問題点に対処することを課題の一例とするものである。即ち、本発明は、例えば、ユーザの操作を少なくすることができる通信装置を提供することを目的としている。
【課題を解決するための手段】
【０００７】
上記課題を解決するために、請求項１に記載の通信装置は、複数の機器のうち一つの機器と接続可能であり、当該機器で保持しているコンテンツを取得する第１通信手段と、前記複数の機器と同時に接続可能であり、当該機器で保持しているコンテンツの識別情報を取得する第２通信手段と、前記第２通信手段で取得されたコンテンツの識別情報のうち、前記第１通信手段で接続が確立されていない一の機器が保持するコンテンツの識別情報が選択されたことを判断して、前記一の機器と前記第１通信手段の接続を確立する接続制御手段と、を有することを特徴とする。
【０００８】
請求項６に記載の通信方法は、数の機器のうち一つの機器と接続可能であり、当該機器で保持しているコンテンツを取得する第１通信手段を制御する通信方法であって、前記複数の機器と同時に接続可能である第２通信手段で取得された前記機器で保持しているコンテンツの識別情報のうち、前記第１通信手段で接続が確立されていない一の機器が保持するコンテンツの識別情報が選択されたことを判断して、前記一の機器と前記第１通信手段の接続を確立する工程を有することを特徴とする。
【図面の簡単な説明】
【０００９】
【図１】本発明の通信装置としての車載機の一例を示す図である。
【図２】図１に示す車載機の構成を説明するためのブロック図である。
【図３】図１に示す車載機が行う統合プレイリスト作成処理手順を示すフローチャートである。
【図４】図１に示す車載機が作成する統合プレイリストを示す図である。
【図５】図１に示す車載機及びスマート機器が行う再生処理手順を示すフローチャートである。
【図６】図１に示す車載機及びスマート機器が行う再生処理手順を示すフローチャートである。
【発明を実施するための形態】
【００１０】
以下、本発明の一実施形態にかかる通信装置を説明する。本発明の一実施形態にかかる通信装置は、複数の機器のうち一つの機器と接続可能であり、当該機器で保持しているコンテンツを取得する第１通信手段と、複数の機器と同時に接続可能であり、当該機器で保持しているコンテンツの識別情報を取得する第２通信手段と、第２通信手段で取得されたコンテンツの識別情報のうち、第１通信手段で接続が確立されていない一の機器が保持するコンテンツの識別情報が選択されたことを判断して、一の機器と第１通信手段の接続を確立する接続制御手段と、を有している。これにより、第１通信手段で接続が確立されていない一の機器が保持するコンテンツが選択された場合、ユーザが一の機器との接続操作を行わなくても、自動的に接続制御手段が一の機器と第１通信手段の接続を確立する。よって、ユーザの操作を少なくすることができる。また、第２通信手段が、複数の機器から当該機器で保持しているコンテンツの識別情報を取得する。これにより、簡単に複数の機器からコンテンツの識別情報を取得できる。
【００１１】
また、複数の機器が保持するコンテンツの識別情報を表示する表示手段を有するようにしてもよい。これにより、ユーザが容易に複数の機器が保持するコンテンツを選択することができる。
【００１２】
また、第２通信手段は、複数の機器から機器を識別する機器識別情報を取得し、接続制御手段は、第１通信手段で接続されている機器の機器識別情報と、選択されたコンテンツを保持する機器識別情報と、が一致しない場合、第１通信手段で接続が確立されていない一の機器が保持するコンテンツの識別情報が選択されたことを判断するようにしてもよい。これにより、機器識別情報の比較により簡単に、第１通信手段で接続が確立されていない一の機器が保持するコンテンツが選択されたことを判断できる。
【００１３】
また、接続制御手段は、第１通信手段で接続が確立されていない一の機器が保持するコンテンツの識別情報が選択されたことを判断して、第１通信手段との接続が確立されている他の機器との接続を切断した後、一の機器と第１通信手段の接続を確立するようにしてもよい。これにより、ユーザが他の機器との切断操作を行わなくても、自動的に接続制御手段が他の機器と第１通信手段の接続を切断する。よって、一層、ユーザの操作を少なくすることができる。
【００１４】
また、表示手段は、複数の機器が保持するコンテンツの識別情報を一つのリストで表示するようにしてもよい。これにより、ユーザが、コンテンツの選択を行いやすくなる。
【００１５】
また、本発明の一実施形態にかかる通信方法は、複数の機器のうち一つの機器と接続可能であり、当該機器で保持しているコンテンツを取得する第１通信手段を制御する通信方法であって、複数の機器と同時に接続可能である第２通信手段で取得された機器で保持しているコンテンツの識別情報のうち、第１通信手段で接続が確立されていない一の機器が保持するコンテンツの識別情報が選択されたことを判断して、一の機器と第１通信手段の接続を確立する工程を有する。これにより、第１通信手段で接続が確立されていない一の機器が保持するコンテンツが選択された場合、ユーザが一の機器との接続操作を行わなくても、自動的に接続制御手段が一の機器と第１通信手段の接続を確立する。よって、ユーザの操作を少なくすることができる。また、第２通信手段が、複数の機器から当該機器で保持しているコンテンツの識別情報を取得する。これにより、簡単に複数の機器からコンテンツの識別情報を取得できる。
【００１６】
また、上述した通信方法をコンピュータにより実行させる通信プログラムとしてもよい。このようにコンピュータにより実行されるプログラムであるので、専用のハードウエア等が不要となり、汎用の情報処理装置にインストールして機能させることができる。
【実施例】
【００１７】
次に、上述した通信装置、通信方法及び通信プログラムについて、図１を参照して以下説明する。図１は、本発明の通信装置としての車載機の一例を示すブロック図である。同図に示す車載機１は、例えば車両に搭載された車載機から構成され、目的地までの経路を案内するナビゲーション機能を有している。
【００１８】
また、本実施例において車載機１は、スマートホンやタブレットなどの複数のスマート機器２１〜２３（＝複数の機器）と無線接続することができる。なお、複数のスマート機器２１〜２３のうち任意のものについて、単にスマート機器２と言うこともある。本実施例の車載機１は、無線接続されている全てのスマート機器２１、２２、２３に保持されている音楽データなどのコンテンツの統合プレイリストを作成するリスト作成機能を有している。さらに、本実施例の車載機１は、作成した統合プレイリストから選択されたコンテンツを再生するコンテンツ再生機能を有している。
【００１９】
上記車載機１は、装置全体の制御を司る接続制御手段としての制御部３と、表示手段としての表示装置４と、音声出力部５と、第１通信手段としてのＢＴ通信部６と、第２通信手段としてのＷｉ−Ｆｉ通信部７と、入力部８と、記録手段としての記録部９と、が備えられ、これらがバス１２で接続されている。制御部３は、例えばＲＡＭ（Random Access Memory）やＲＯＭ（Read Only Memory）などのメモリを備えたＣＰＵ（Central Processing Unit）で構成される。この制御部３のＣＰＵは、ＲＯＭに記録された通信プログラムに従って動作を行う。
【００２０】
表示装置４は、例えば車両のインストルメントパネルに設けられており、液晶ディスプレイ、有機ＥＬ（Electro Luminescence）素子等から構成される。
【００２１】
音声出力部５は、例えば、ＤＡＣ（デジタル／アナログ信号変換器）、アンプ、スピーカ等を備えており、制御部３から出力された音楽データをＤＡＣによりＤ／Ａ変換した後、アンプにより増幅してスピーカから音波として出力する。
【００２２】
ＢＴ通信部６は、ＢＴ(Bluetooth（登録商標）)モジュールから構成され、スマート機器２１、２２、２３に無線接続できるようになっている。本実施例においてＢＴ通信部６は、１対１接続は確立できるが、１対多数接続は確立できない。ＢＴ通信部６は、複数のスマート機器２１、２２、２３のうち一つのみと接続を確立して、接続確立した一つに保持されたコンテンツを取得することができる。
【００２３】
Ｗｉ−Ｆｉ通信部７は、Ｗｉ−Ｆｉモジュールから構成され、複数のスマート機器２１、２２、２３に同時に無線接続できるようになっている。本実施例においてＷｉ−Ｆｉ通信部７は、１対多数接続できる通信部であり、スマート機器２１、２２、２３が保持したコンテンツを取得することはできないが、コンテンツの曲名、アーティスト名、アルバム名といった識別情報（以下、「コンテンツの曲名など」、「コンテンツの識別情報」と略記する場合もある）を取得することができる。
【００２４】
入力部８は、操作ボタンや、表示装置４に設けられたタッチパネルなどから構成され、コンテンツの選択操作や、目的地の入力操作などが行われる。
【００２５】
記録部９は、後述する統合プレイリストなどが記録される。
【００２６】
また、車載機１は、ナビゲーション機能を実現するために、位置情報を受信するためのＧＰＳ受信部１０と、地図ＤＢ（データベース）１１と、をさらに備え、バス１２によって接続されている。このナビゲーション機能については、一般的なものであるため、ここでは詳細な説明は省略する。
【００２７】
次に、上述した構成の車載機１の統合プレイリスト作成機能における動作について図３のフローチャートを参照して説明する。
【００２８】
車載機１の制御部３（以下、「車載機」と略記する場合もある。）は、周知の手順で、ＢＴ通信部６を制御して、ＢＴ接続可能な一つの機器との接続を確立する。図１に示す例では、車載機１は、３つのスマート機器２１、２２、２３のうち一つのスマート機器２１との接続が確立される。スマート機器２１は、例えばＢＴ接続エリア内にいる３つのスマート機器２１、２２、２３のうち最初にユーザが選択した機器である。また、車載機１は、周知の手順で、Ｗｉ−Ｆｉ通信部７を制御して、Ｗｉ−Ｆｉ接続可能な機器との接続を行う。図１に示す例では、車載機１は、３つのスマート機器２１、２２、２３とＷｉ−Ｆｉ接続される。
【００２９】
その後、車載機１は、図３に示す統合プレイリスト作成処理を行う。まず、車載機１は、Ｗｉ−Ｆｉ通信部７に接続されているスマート機器２の有無をチェックする（ステップＳ１）。このチェックは、車載機１の電源投入時またはスマート機器２がＷｉ−Ｆｉ接続されたときや、ユーザが統合プレイリストの作成操作をしたときに行われる。
【００３０】
次に、車載機１は、Ｗｉ−Ｆｉ通信部７を制御して、Ｗｉ−Ｆｉ接続されたスマート機器２に対してコンテンツの識別情報の送信要求を行う（ステップＳ２）。この送信要求に応じて各スマート機器２は、Ｗｉ−Ｆｉ通信で、コンテンツの識別情報と、自身の機器識別情報である例えばBluetooth（登録商標） Device Address（以下ＢＤ＿ＡＤＤＲ）と、を送信する。Ｗｉ−Ｆｉ通信部７が各スマート機器２からのコンテンツの識別情報とＢＤ＿ＡＤＤＲを受信（取得）すると、車載機１は、コンテンツの識別情報とＢＤ＿ＡＤＤＲとを紐付けして、記録部９に記録する（ステップＳ４）。
【００３１】
その後、車載機１は、統合プレイリストを作成し、記録部９に記録する（ステップＳ５）。統合プレイリストは、図４に示すように、Ｗｉ−Ｆｉ通信されている複数のスマート機器２が保持するコンテンツの曲名などを１つのリストにしたものである。図４に示す統合プレイリストは、コンテンツの曲名などに加えてＢＤ＿ＡＤＤＲが付加されているが、ＢＤ＿ＡＤＤＲは付加しなくてもよい。
【００３２】
その後、車載機１は、Ｗｉ−Ｆｉ通信部７を制御して、作成した統合プレイリストと、自身のＢＤ＿ＡＤＤＲと、をスマート機器２に送信する（ステップＳ６）。また、車載機１は、ステップＳ５で作成した統合プレイリストを表示装置４に表示して（ステップＳ７）、処理を終了する。スマート機器２は、受信した統合プレイリストを表示すると共に、車載機１のＢＤ＿ＡＤＤＲを図示しない記録部に保持する。
【００３３】
次に、上述した構成の車載機１の統合プレイリストの再生機能における動作の概略について説明する。
【００３４】
今、図１に示すように、スマート機器２１、２２、２３が車載機１とＷｉ−Ｆｉ接続され、スマート機器２１のみが車載機１とＢＴ接続されている場合について説明する。また、スマート機器２１には、コンテンツＣ１、Ｃ２が保持され、ＢＤ＿ＡＤＤＲとして「１１：２２：３３：４４：５５：６６」が保持されている。スマート機器２２には、コンテンツＣ３、Ｃ５が保持され、ＢＤ＿ＡＤＤＲとして「ＡＡ：ＢＢ：ＣＣ：ＤＤ：ＥＥ：ＦＦ」が保持されている。スマート機器２３には、コンテンツＣ４、Ｃ６が保持され、ＢＤ＿ＡＤＤＲとして「００：００：００：００：００：００」が保持されている。また、車載機１は、ＢＤ＿ＡＤＤＲとして「９９：９９：９９：９９：９９：９９」が保持されている。
【００３５】
スマート機器２１、２２、２３や車載機１に表示された統合プレイリストの中からコンテンツＣ３が選択された場合について考えてみる。ユーザは、例えば、統合プレイリストが表示されたスマート機器２１、２２、２３の図示しない表示部や車載機１の表示装置４をタッチ操作することにより、コンテンツの選択操作を行うことができる。選択操作がスマート機器２１、２２、２３を用いて行われた場合は、選択操作情報がＷｉ−Ｆｉ通信でスマート機器２１、２２、２３から車載機１に送信される。
【００３６】
車載機１は、記録部９の記録に基づいて、選択されたコンテンツＣ３の曲名などに対応するＢＤ＿ＡＤＤＲ（ＡＡ：ＢＢ：ＣＣ：ＤＤ：ＥＥ：ＦＦ）を確認する。次に、車載機１は、ＢＴ接続中のスマート機器２１のＢＤ＿ＡＤＤＲ（１１：２２：３３：４４：５５：６６）と照合を行う。ＢＤ＿ＡＤＤＲが一致しないと、車載機１は、接続制御手段として働き、ＢＴ通信部６で接続が確立されていないスマート機器２２が保持するコンテンツが選択されたと判断し、現在接続中のスマート機器２１（他の機器）とのＢＴ接続を切る。その後、車載機１は、ＢＴ通信部６を制御して、スマート機器２２（一の機器）とＢＴ接続して、スマート機器２２に対してコンテンツＣ３の送信要求を行う。車載機１は、スマート機器２２からコンテンツＣ３を受信すると、コンテンツＣ３を再生する。
【００３７】
上記概略で説明した構成の車載機１の統合プレイリストの再生機能における動作の詳細について図５及び図６を参照して説明する。車載機１は、統合プレイリスト作成処理が終了すると、図５及び図６に示す再生処理を行う。スマート機器２や車載機１の入力部８を用いてコンテンツの選択が行われると（ステップＳ１０）、車載機１は、記録部９の中から選択されたコンテンツの識別情報に紐付けされたＢＤ＿ＡＤＤＲ“Ａ”を確認する(ステップＳ１１)。次に、ＢＴ接続が既にされていれば（ステップＳ１２でＹ）、車載機１は、ＢＴ接続中のスマート機器２のＢＤ＿ＡＤＤＲ“Ｂ”と確認したＢＤ＿ＡＤＤＲ“Ａ”とが一致するか否かを判定する（ステップＳ１３）。一致すれば（ステップＳ１３でＹ）、車載機１はＢＴ接続中のスマート機器２に選択されたコンテンツの送信要求を行い、これに伴って送信されたコンテンツを再生する（ステップＳ２５）。
【００３８】
一方、一致しなければ（ステップＳ１３でＮ）、車載機１は、表示装置４に「接続中のスマート機器と切断してもいいですか」と表示させる。「いいえ」が選択されれば（ステップＳ１４でＮ）、車載機１は、接続中のスマート機器２とのＢＴ接続を切断することなく直ちに処理が終了され、選択されたコンテンツの再生は行わない。
【００３９】
「はい」が選択されれば、車載機１は、ＢＤ＿ＡＤＤＲ“Ｂ”のスマート機器２とのＢＴ接続を切断する（ステップＳ１４でＹ）。その後、車載機１は、Ｗｉ−Ｆｉ通信部７を制御して、ＢＤ＿ＡＤＤＲ“Ａ”のスマート機器２に対して接続要求フラグを送信する（ステップＳ１５）。また、何れのスマート機器２ともＢＴ接続されていなければ（ステップＳ１２でＮ）、車載機１は、ステップＳ１５に進む。ステップＳ１５において、車載機１は、Ｗｉ−Ｆｉ通信部７を制御して、直ちにＢＤ＿ＡＤＤＲ“Ａ”のスマート機器２に対して接続要求フラグを送信する（ステップＳ１５）。
【００４０】
自身宛の接続要求フラグを受信すると（ステップＳ３０）、スマート機器２は、車載機１以外の端末（例えばヘッドホン）とＢＴ接続中であるか否かを判断する（ステップＳ３１でＹ）。ＢＴ接続中であれば（ステップＳ３１でＹ）、スマート機器２は、図示しない表示画面に「接続中の端末と切断してもいいですか」と表示させる。このとき、「いいえ」が選択されれば（ステップＳ３２でＮ）、スマート機器２は、Ｗｉ−Ｆｉ通信により送信できないフラグを車載機１宛に送信する（ステップＳ４０）。
【００４１】
これに対して、スマート機器２は、「はい」が選択されれば、ＢＴ接続を切断した後（ステップＳ３２でＹ）、Ｗｉ−Ｆｉ通信により応答フラグを送信する（ステップＳ３３）。その後、スマート機器２は、保存した車載機１のＢＤ＿ＡＤＤＲ“Ｃ”を確認する（ステップＳ３４）。次に、スマート機器２は、ペアリング履歴にＣがあるかを確認する（ステップＳ３５）。ペアリング履歴にＣがあれば（ステップＳ３５でＹ）、スマート機器２は、ペアリングを行わずに接続されるのを待つ（ステップＳ３６でＹ）。
【００４２】
一方、スマート機器２からの応答フラグを受信すると（ステップＳ１６）、車載機１は、ペアリング履歴にＢＤ＿ＡＤＤＲ“Ａ”があるか確認する（ステップＳ１７）。スマート機器２でペアリング履歴にＣがあると確認されれば（ステップＳ３５でＹ）、車載機１もペアリング履歴にＡがあると確認される（ステップＳ１７でＹ）。ペアリング履歴にＡがあれば（ステップＳ１７でＹ）、車載機１は、ＢＤ＿ＡＤＤＲ“Ａ”のスマート機器２にＢＴ接続する。ＢＴ接続が完了すると（ステップＳ１９でＹ）、車載機１は、ＢＤ＿ＡＤＤＲ“Ａ”のスマート機器２に選択されたコンテンツの送信要求を行い、これに伴って送信されたコンテンツを再生する（ステップＳ２５）。
【００４３】
一方、スマート機器２は、ペアリング履歴にＣがなければ（ステップＳ３５でＮ）、自動的にペアリングモードとなり、例えばＢＴ通信でＢＤ＿ＡＤＤＲを出すなどして発見可能状態になる（ステップＳ３７）。この場合、車載機１でもペアリング履歴にＡがないと判断され(ステップＳ１７でＮ)、自動的にペアリングモードになり、ＢＤ＿ＡＤＤＲを出力しているスマート機器２のスキャンを行う（ステップＳ２０）。
【００４４】
ＢＤ＿ＡＤＤＲを出力しているスマート機器２を発見すると（ステップＳ２０でＹ）、車載機１は、そのスマート機器２のＢＤ＿ＡＤＤＲがＡに一致するか否かを判断する（ステップＳ２１）。一致すれば（ステップＳ２１でＹ）、車載機１は、ペアリング要求をＢＤ＿ＡＤＤＲ“Ａ”のスマート機器２に送信して、ＩＤの交換・登録などのペアリングを行う（ステップＳ２２）。ペアリングが完了すると（ステップＳ２３でＹ）、車載機１は、ステップＳ２５に進んで選択されたコンテンツの再生を行う。
【００４５】
一方、スマート機器２は、車載機１からペアリング要求を受信すると、同様に、ＩＤの交換・登録などのペアリングを行う（ステップＳ３８）。ペアリングが完了すると（ステップＳ３９）、スマート機器２は、処理を終了する。
【００４６】
車載機１は、一定時間以上経過してもＢＤ＿ＡＤＤＲ“Ａ”のスマート機器２との接続が完了しない場合（ステップＳ１９）や、スマート機器２を発見できなかったり（ステップＳ２０でＮ）、発見できてもＢＤ＿ＡＤＤＲがＡと一致しなかったり（ステップＳ２１でＮ）、一定時間以上経過してもペアリングが完了しなかった場合（ステップＳ２３）、ＢＴ接続を切断したＢＤ＿ＡＤＤＲ“Ｂ”のスマート機器２と再びＢＴ接続した後（ステップ２４）、処理を終了する。
【００４７】
また、スマート機器２は、一定時間以上経過しても車載機１とＢＴ接続できない場合や（ステップＳ３６でＮ）、ペアリングが完了しない場合（ステップＳ３９）、Ｗｉ−Ｆｉ通信により接続できないフラグを車載機１に送信して（ステップＳ４０）、処理を終了する。車載機１は、この送信できないフラグを受信すると現在行っている処理を中止して直ちにステップＳ２４に進んで、ＢＤ＿ＡＤＤＲ“Ｂ”のスマート機器２と再びＢＴ接続する。
【００４８】
上述した実施例によれば、ＢＴ通信部６が、複数のスマート機器２１、２２、２３のうち一つのみとの接続を確立し、当該一つで保持しているコンテンツを取得する。記録部９には、複数のスマート機器２１、２２、２３が保持するコンテンツの識別情報が記録されている。制御部３が、記録部９に記録されたコンテンツの識別情報のうち、ＢＴ接続が確立されていないスマート機器２２が保持するコンテンツの識別情報が選択されたと判断すると、スマート機器２２とＢＴ通信部６との接続を確立する。これにより、ＢＴ通信部６で接続が確立されていないスマート機器２２が保持するコンテンツが選択された場合、ユーザがスマート機器２２との接続操作を行わなくても、自動的に制御部３がスマート機器２２とＢＴ通信部６の接続を確立する。よって、ユーザの操作を少なくすることができる。
【００４９】
また、上述した実施例によれば、表示装置４には、複数のスマート機器２１、２２、２３が保持するコンテンツの曲名などが統合プレイリストとして表示される。これにより、ユーザが容易に複数のスマート機器２１、２２、２３が保持するコンテンツを選択することができる。
【００５０】
また、上述した実施例によれば、Ｗｉ−Ｆｉ通信部７は、複数のスマート機器２１、２２、２３と同時に接続可能であり、複数のスマート機器２１、２２、２３から当該スマート機器２１、２２、２３で保持しているコンテンツの識別情報を取得している。これにより、簡単に複数のスマート機器２１、２２、２３からコンテンツの識別情報を取得できる。
【００５１】
また、上述した実施例によれば、Ｗｉ−Ｆｉ通信部７は、複数のスマート機器２１、２２、２３から機器を識別するＢＤ＿ＡＤＤＲを取得し、制御部３は、ＢＴ通信部６で接続されているスマート機器２のＢＤ＿ＡＤＤＲと、選択されたコンテンツを保持するスマート機器２のＢＤ＿ＡＤＤＲと、が一致しない場合、ＢＴ通信部６で接続が確立されていないスマート機器２が保持するコンテンツが選択されたことを判断している。これにより、ＢＤ＿ＡＤＤＲの比較により簡単に、ＢＴ通信部６で接続が確立されていないスマート機器２が保持するコンテンツが選択されたことを判断できる。
【００５２】
また、上述した実施例によれば、制御部３は、ＢＴ通信部６で接続が確立されていないスマート機器２２が保持するコンテンツが選択されたことを判断して、ＢＴ通信部６との接続が確立されているスマート機器２１との接続を切断した後、スマート機器２２とＢＴ通信部６の接続を確立するようにしてもよい。これにより、ユーザがスマート機器２１との切断操作を行わなくても、自動的に制御部３がスマート機器２１とＢＴ通信部６の接続を切断する。よって、一層、ユーザの操作を少なくすることができる。
【００５３】
また、表示装置４は、複数のスマート機器２１〜２３が保持するコンテンツの識別情報を一つのリストで表示する。これにより、ユーザが、コンテンツの選択を行いやすくなる。
【００５４】
なお、上述した実施例によれば、車載機１及びスマート機器２の双方に統合プレイリストを表示させて、双方からコンテンツの選択を行えるようにしていたが、これに限ったものではない。車載機１及びスマート機器２の何れか一方のみに統合プレイリストを表示させて、一方のみを用いてコンテンツの選択を行えるようにしてもよい。
【００５５】
また、上述した実施例によれば、Ｗｉ−Ｆｉ通信を用いて、コンテンツの識別情報をスマート機器２から車載機１に送信していたが、これに限ったものではない。他に１対多数接続できる通信があればそれを用いてもよい。また、たとえば、ＢＴ通信を用いてコンテンツの識別情報をスマート機器２から車載機１に送信するようにしてもよい。この場合、車載機１は、スマート機器２との接続前に、事前にＢＴスキャンを行う。このときスマート機器２にＢＤ＿ＡＤＤＲに加えてコンテンツの識別情報を送信させるようにして、発見可能状態にするようにしてもよい。また、ＢＴ通信を時分割して順番に車載機１を複数のスマート機器２に接続して、コンテンツの識別情報を送信することも考えられる。
【００５６】
また、前述した実施例は本発明の代表的な形態を示したに過ぎず、本発明は、実施形態に限定されるものではない。即ち、本発明の骨子を逸脱しない範囲で種々変形して実施することができる。
【符号の説明】
【００５７】
１  車載機（通信装置）
２  スマート機器（機器）
３  制御部（接続制御手段）
４  表示装置（表示手段）
６  ＢＴ通信部（第１通信手段）
７  Ｗｉ−Ｆｉ通信部（第２通信手段）
９  記録部（記録手段）
２１  スマート機器（機器）
２２  スマート機器（機器）
２３  スマート機器（機器）
【図１】
2017175372.tif 000003
【図２】
2017175372.tif 000004
【図３】
2017175372.tif 000005
【図４】
2017175372.tif 000006
【図５】
2017175372.tif 000007
【図６】
2017175372.tif 000008